(57)【特許請求の範囲】
【請求項１】
左右に並列に隣接配置された一対の容器体（３０）と、該一対の容器体（３０）の口筒部（３１）に外嵌される外装部（１６）及び該外装部（１６）の上端にヒンジ部（１２）を介して開閉自在に設けられた注出筒部（１３）とを備えた通路ブロック体（１０）と、前記注出筒部（１３）の上に外装される取着部（６）及び前記一対の容器体（３０）から別々に注出される内溶物を吐出口（９）に導くキャップ体（２）と、を有して構成される混合容器（１）であって、
前記通路ブロック体（１０）の前記外装部（１６）側に被係止片（２０）が設けられ、前記注出筒部（１３）側に支点（２３）を介して揺動自在に設けられた揺動部（２１）及び該揺動部（２１）の一端（２１ａ）に前記被係止片（２０）に対して係止可能な係止片（２２）が設けられ、
前記通路ブロック体（１０）は、前記注出筒部（１３）が前記ヒンジ部（１２）を介して外装部（１６）の上部に立設され且つ前記係止片（２２）が前記被係止片（２０）に係止する状態で組み立てられており、
前記揺動部（２１）の他端（２１ｂ）を前記取着部（６）の外表面に接触または近接させることより、前記係止片（２２）と前記被係止片（２０）との係止状態の解除を規制するようにしたことを特徴とする係止機構を備えた混合容器。
【請求項２】
キャップ体（２）の取着部（６）の内側に螺条（７）が形成され、通路ブロック体（１０）の注出筒部（１３）の外表面に螺旋条（１５）が形成されており、前記取着部（６）の螺条（７）が前記注出筒部（１３）の螺旋条（１５）に螺着されて前記キャップ体（２）が前記通路ブロック体（１０）に取り付けられる請求項１記載の係止機構を備えた混合容器。
【請求項３】
容器体（３０）が、スクイズ変形可能な容器である請求項１または２記載の係止機構を備えた混合容器。
【発明の詳細な説明】
【技術分野】
【０００１】
本発明は、一対の容器体内からそれぞれ注出される各内溶物を一つの吐出口から吐出する係止機構を備えた混合容器に関する。
【背景技術】
【０００２】
例えば、或る種の染毛剤のように、２種の内容物を使用時に一緒に注出するタイプの混合容器として、内容物を個々に容器体に収納し、使用時に、この一対の容器体から内容物を同時に注出させると共に、この注出された内容物を同じ吐出口から吐出する容器を示す従来技術がある。
【０００３】
この従来技術は、内容物を収納した容器体としての一対のエアゾール式容器と、突出口を有して一対のエアゾール式容器の上端に外装される装着体と、一対のエアゾール式容器の両注出ノズルと吐出口とを連通させる注出路を内部に形成した通路ブロックと、容器を掴持した者からの操作力を一対のエアゾール式容器に同時に与え、両エアゾール式容器に設けられた各注出ノズルを均等に押し上げて内溶物を噴出させる操作体とから構成されている（例えば、特許文献１参照。）。
【０００４】
図９は、特許文献１に記載された通路ブロック体の開状態の一部縦断図を符号のみを変えた状態で示したものである。
図９に示すように、この特許文献１には、多数の傾斜した鍔状片を設けた混合棒片１１４を、上端から起立設した注出筒１１３を上面中央に立設し、下面に下方に開放した左右に長い通路凹部１１５を形成したブロック本体１１２と、容器体に注出ノズルが突き抜け不能に密嵌入する一対の段付き孔１１７を左右端部に開設し、この両段付き孔１１７と連通し、通路凹部１１５に下方から密嵌入して注出通路を形成する通路凸部１１８を上面に形成し、下面中央に摘み片１１９を垂下設した底蓋片１１６とを、その後端縁間をヒンジ１２１で結合し、ブロック本体１１２の前端縁に、閉状態の底蓋片１１６の前端縁に係止して、底蓋片１１６の閉状態を確保するロック片１２０を設けて構成される通路ブロック体１１１が記載されている。
【０００５】
このような通路ブロック体１１１を備える混合容器においては、内容物が通路凹部１１５内に固着することがあるため、ヒンジ１２１を中心にロック片１２０が底蓋片１１６に係止した閉状態から図９に示される開状態へ自在に展開可能にすることで洗浄しやすく構成されている。
【先行技術文献】
【特許文献】
【０００６】
【特許文献１】特開２００４−１４９１７５号公報
【発明の概要】
【発明が解決しようとする課題】
【０００７】
しかし、上記従来の混合容器では、両注出ノズルを均等に押し下げて内溶物を噴出させる操作体を有する構成であるため、容器サイズを小さくすることが困難であるという問題があった。
また近年、一対の容器体としてエアゾール式容器以外に、例えばチューブ型容器やスクイズボトルなどから構成される混合容器が開発されており、このような混合容器においては、上記のような操作体は不要となる。このため、この種の混合容器の構成は、従来の混合容器から操作体を取り除いた構成、すなわち通路ブロック体１１１が外部に露出される構成となる。
【０００８】
しかしながら、通路ブロック体１１１が外部に露出される構成では、例えば使用時に、誤って底蓋片１１６の閉状態を確保するロック片１２０の他端側が軸中心方向に押圧されると、ロック片１２０と底蓋片１１６により係止状態が解除され、通路ブロック体１１１が開状態（図９の状態）に展開するという誤動作が発生する。このような誤動作が起きると、一対の容器体からの内容物の注出が不可能になるという問題があるばかりでなく。その他例えば使用時に通路ブロック体１１１が急激に展開すると、内溶物が飛散するという危険性もある。
【０００９】
本発明は、上記した従来技術における問題点を解消すべく、従来の混合容器から操作体を省いた簡易な構成からなる混合容器において、通路ブロック体が使用中に開状態に展開するという誤動作の発生を防止し、安定且つ安全に使用することのできる係止機構を備えた混合容器を創出することを課題とする。
【課題を解決するための手段】
【００１０】
上記課題を解決するための手段のうち、本発明の主たる構成は、
左右に並列に隣接配置された一対の容器体と、一対の容器体の口筒部に外嵌される外装部及び外装部の上端にヒンジ部を介して開閉自在に設けられた注出筒部とを備えた通路ブロック体と、注出筒部の上に外装される取着部及び一対の容器体から別々に注出される内溶物を吐出口に導くキャップ体と、を有して構成される混合容器であって、
通路ブロック体の外装部側に被係止片が設けられ、注出筒部側に支点を介して揺動自在に設けられた揺動部及び揺動部の一端に被係止片に対して係止可能な係止片が設けられ、通路ブロック体は、注出筒部がヒンジ部を介して外装部の上部に立設され且つ係止片が被係止片に係止する状態で組み立てられており、
揺動部の他端を取着部の外表面に接触または近接させることより、係止片と被係止片との係止状態の解除を規制するようにしたことを特徴とする、と云うものである。
【００１１】
上記構成の混合容器では、キャップ体を、通路ブロック体を構成する注出筒部の上に覆うように取り付けると、キャップ体の取着部が、揺動部の他端と注出筒部の外表面との間の隙間に位置するようになり、揺動部の揺動動作を規制されて通路ブロック体の外装部と注出筒部とを係止する係止機構における係止解除を不可能にする。
【００１２】
本発明の他の構成は、請求項１記載の発明の構成に、キャップ体の取着部の内側に螺条が形成され、通路ブロック体の注出筒部の外表面に螺旋条が形成されており、取着部の螺条が注出筒部の螺旋条に螺着されてキャップ体が通路ブロック体に取り付けられる、ということを加えたものである。
【００１３】
上記構成の発明にあっては、キャップ体の通路ブロック体の注出筒部への脱着を螺着操作及び螺脱操作により行うことを可能とする。
【００１４】
本発明の他の構成は、請求項１または２記載の発明の構成に、容器体が、スクイズ変形可能な容器である、ということを加えたものである。このような容器としては、例えばブローボトルやチューブなどである。
【００１５】
上記構成の発明にあっては、一対の容器体から内容物の注出及び混合を簡易かつ安定的に達成する。
【発明の効果】
【００１６】
本発明は、上記した構成となっているので、以下に示す効果を奏する。
本発明の主たる構成においては、揺動部の揺動動作が制限されるため、揺動部の他端が軸中心方向に押圧されても、係止機構を構成する係止片と被係止片との間の係止状態の解除を規制する。よって、使用中に通路ブロック体が開状態に展開することが防止され、注出及び混合を安定かつ確実に達成することができ、安定性及び安全性に優れた混合容器を提供することができる。
また従来の混合容器のような操作体を不要とすることができるため、混合容器全体の構成を小型化にできると共に安価に製造することができる。
【００１７】
またキャップ体の取着部の内側に螺条が形成され、通路ブロック体の注出筒部の外表面に螺旋条が形成されており、取着部の螺条が注出筒部の螺旋条に螺着されてキャップ体が通路ブロック体に取り付けられる構成としたものでは、キャップ体の脱着を簡単に行うことが可能となるため、洗浄作業を容易とすることができる。さらに、キャップ体の取着部が通路ブロック体の注出筒部に螺着した状態では、取着部と注出筒部とが強固に組み付いた状態で連結されるため、容器体から押し出された内容物によってキャップ体が外れてしまうことがなく、被係止片と係止片との係止状態を維持することが可能となる。
【００１８】
さらに容器体が、スクイズ変形可能な容器とした構成では、一対の容器体から内容物を簡易かつ安定して注出及び混合することができる。
【図面の簡単な説明】
【００１９】
【図１】本発明たる混合容器の第１実施例を示す正面方向の縦断面図である。
【図２】図１のａ−ｂ−ｃ−ｄ線に沿って切断した状態を示す縦断面図である。
【図３】本発明の混合容器の平面図である。
【図４】図１に示した実施例の、通路ブロック体の開状態の縦断図である。
【図５】図１に示した実施例の、通路ブロック体の閉状態の縦断図である。
【図６】混合容器の第２実施例を示す図１同様の縦断面図である。
【図７】図６に示した第２実施例の混合容器についての図２同様の縦断面図である。
【図８】図６に示した第２実施例の混合容器中に含まれる通路ブロック体の開状態を示す図４同様の縦断面図である。
【図９】従来例として、特許文献１に示されている実施例の、通路ブロック体の開状態の一部縦断図である。
【発明を実施するための形態】
【００２０】
以下、本発明の実施の形態について図面を参照しつつ説明する。
図１は本発明の混合容器の第１実施例を示す正面方向の縦断面図、図２は図１の混合容器をａ−ｂ−ｃ−ｄ線に沿って切断した状態を示す縦断面図、図３は本発明の混合容器の平面図、図４は図１に示した実施例の、通路ブロック体の開状態を拡大して示す縦断図である。図５は図１に示した実施例の、通路ブロック体の閉状態の縦断図であると共にキャップ体を取り付ける前の状態を示している。
【００２１】
本発明の混合容器１は、大別するとキャップ体２、通路ブロック体１０及び一対の容器体３０，３０から構成され、一対の容器体３０，３０内にそれぞれ充填されている異なる種類の内容物を、通路ブロック体１０を介してキャップ体２に導き、キャップ体２の頭部３に形成された吐出口９から吐出させるというものである。
【００２２】
本実施例における一対の容器体３０としては、例えばブロー成形されたブローボトルなどが挙げることができる。この容器体３０は、細長有底円筒状をした合成樹脂製の上部に設けられた口筒部３１の外周に螺旋条からなるネジ部３２を有して構成されている。容器体３０は内部に液状の内容物が充填された後、口筒部３１の上端面が、例えば容易に破断可能なアルミ箔などからなる封止部材（図示せず）によって密閉されたものである。
【００２３】
図４に示すように、通路ブロック体１０は、容器体３０の上端である口筒部３１に外嵌する装着部１１、この装着部１１の上部に立設される注出筒部１３、装着部１１と注出筒部１３とを開閉自在に連結するヒンジ部１２及び装着部１１の上部に立設された注出筒部１３を係止する係止機構を備えた揺動部２１とを有して構成される。
【００２４】
図１に示すように、装着部１１は左右に隣接して形成された円筒形状からなる一対の外装部１６，１６が形成され、その中心には図１において下方に延びる一対の挿入筒１９がそれぞれ形成されている。挿入筒１９の先端は鋭利な傾斜面で形成されており、容器体３０に設けられた封止部材（図示せず）を破断して突き抜けることが可能となっている。なお、外装部１６，１６の内面には、容器体３０の外側に螺着するためのネジ部１７，１７がそれぞれ形成されている。図４に示すように、一対の外装部１６，１６の上部には頂壁１１ａが形成されており、この頂壁１１ａの上部に一対の挿入筒１９，１９と連通して注出通路１８の一部を形成する通路凸部１８ａが形成されている。また頂壁１１ａには、ヒンジ部１２とは逆側となる前方（図４にて左方向）の縁部からさらに突出して係止機構の一部を構成する被係止片２０が形成されている。
【００２５】
注出筒部１３は、上端（図４では下端）が若干縮径した長円筒状をしており、注出筒部１３の内部に仕切板２４と、注出筒部１３の一方の端部（図４の下端）に多数の傾斜した鍔状片を設けた混合棒片２５とを有して一体に形成されている。なお、仕切板２４は必須の構成ではないため、注出筒部１３の内部に仕切板２４を設けない構成であってもよい。注出筒部１３の他方の端部（図４の上端）には、装着部１１側の通路凸部１８ａが密嵌入して注出通路１８の一部を形成する通路凹部１８ｂが一体に形成されている。注出筒部１３の外表面には螺旋条１５が一体に形成されている。
【００２６】
注出筒部１３には、後方（図４にて右方向）に突設する支点２３が形成されており、揺動部２１は支点２３の先端に断面略Ｔ字形状をして一体に形成されている。揺動部２１の一端２１ａの先端には、係止機構の一部を構成する係止片２２が形成されている。すなわち、この係止片２２と装着部１１側の被係止片２０とが互いに係止し合う係止機構を構成している。また揺動部２１の他端２１ｂは、注出筒部１３の外表面との間に所定の隙間Ｓが形成された状態で混合棒片２５が位置する方向（図４において下方）に向かって延びている。
【００２７】
ヒンジ部１２は、装着部１１の頂壁１１ａの後方の端縁と、注出筒部１３の通路凹部１８ｂの前方の端縁との連結部分に、肉厚を部分的に薄くすることにより形成されている。
ヒンジ部１２を中心に、装着部１１と注出筒部１３との一方を基準にして他方を１８０度折り曲げることにより、通路ブロック体１０の状態を、図４に示す開状態と図５に示す閉状態とに自在に変形できるようになっている。
【００２８】
図１及び図２に示すように、キャップ体２は、基端側に設けられて注出筒部１３を外装可能な取着部６と、この取着部６の上部に一体に立設された通路筒部５及び通路筒部５の先端に設けられた略Ｔ字形状の頭部３とを有して構成されている。取着部６の内面には螺条７が形成されており、注出筒部１３に形成された螺旋条１５に螺合する。注出筒部１３の内部には、注出筒部１３及びその先端に設けられる混合棒片２５が収納される合流通路８が形成されている。
【００２９】
頭部３の中央には、合流通路８に連通する吐出口９が設けられている。吐出口９は、図１に示すように奥行き方向には合流通路８から吐出口９の先端に向かって拡張するように形成されると共に、図３に示すように幅方向にはスリット状に形成されて構成されている。本実施例では、頭部３の上面に等間隔に配列した多数の櫛歯からなる塗布体４を立設したものとして示している。なお、塗布体４としては櫛歯に限られるものではなく、その他植毛ブラシ、スポンジなども用いることができる。また塗布体４を用いることなく内溶液が直接塗布される構成であってもよい。
【００３０】
混合容器１の組立ては、先ず通路ブロック体１０を、ヒンジ部１２を中心に折り曲げ、装着部１１の上に注出筒部１３を立設させた状態で、被係止片２０と係止片２２とを係止することにより閉状態に組み立てる（図５参照）。次に、通路ブロック体１０の左右に隣接配置された一対の外装部１６，１６内に、一方の容器体３０と他方の容器体３０をそれぞれ螺着することにより取り付ける。この際、両挿入筒１９の先端が、各容器体３０に設けられた図示しない封止部材を突き抜けて容器体３０内に挿入される。最後に、キャップ体２の取着部６を、通路ブロック体１０を構成する注出筒部１３に螺着することにより混合容器１の組立てが完成する。
なお、先に閉状態に組み立てた通路ブロック体１０の注出筒部１３に、キャップ体２を螺着し、その後に一対の外装部１６，１６に両容器体３０，３０をそれぞれ螺着しても同様に組み立てることが可能である。
【００３１】
図５に示すように、注出筒部１３にキャップ体２を螺着する前の状態では、揺動部２１が支点２３を中心にα１及びα２方向に揺動可能であり、被係止片２０と係止片２２とは係止及び係止解除可能な状態にある。
一方、図２に示すように、注出筒部１３にキャップ体２の取着部６を螺着し、注出筒部１３の上に装着した後の状態では、注出筒部１３と揺動部２１の他端２１ｂのとの間の隙間Ｓ内に、キャップ体２を構成する取着部６が入り込む状態となる。この状態は、揺動部２１の他端２１ｂが、取着部６の外表面に接触または近接して対向する状態にあり、揺動部２１の自由な揺動動作を妨げる規制状態にある。よって、係止機構を構成する被係止片２０と係止片２２との係止状態が容易に解除されることがない。このため、揺動部２１の他端２１ｂに対して軸中心方向への外力が誤って作用しても、係止機構における係止状態を維持することができ、使用中に通路ブロック体１０が容易に展開して開状態に至る誤動作の発生を防止することができ、混合容器１の安定且つ安全な使用を担保することが可能となっている。
【００３２】
この実施例にあっては、一対の容器体３０，３０の両内容物が注出筒部１３の注出口１４から注出され、そのままスリット状の吐出口９から塗布体４に吐出されるので、内容物を、塗布体４を使って直接頭髪に塗布することができる。
【００３３】
混合容器１の分解は、キャップ体２を注出筒部１３から螺脱させた後、揺動部２１の他端２１ｂ側を図５にてα２方向に傾倒させることにより、被係止片２０と係止片２２との係止を解除し、通路ブロック体１０を図４に示す開状態に展開させる。そして、一対の外装部１６，１６から両容器体３０，３０をそれぞれ螺脱させることにより混合容器１全体の分解が完了するので、混合容器１の洗浄を容易かつ確実に行うことができる。
なお、キャップ体２を注出筒部１３から螺脱させる行為と両容器体３０，３０を一対の外装部１６，１６から螺脱させる行為とは逆の順番であってもよい。
【００３４】
図６は混合容器の第２実施例を示す図１同様の縦断面図、図７は図６に示した第２実施例の混合容器についての図２同様の縦断面図、図８は図６に示した第２実施例の混合容器中に含まれる通路ブロック体の開状態を示す図４同様の縦断面図である。
【００３５】
図６乃至図８は、本発明の第２実施例を示すもので、注出筒部１３の一方の端部に混合棒片２５を設けず、注出筒部１３とその内側に設けた仕切板２４とで構成されている点が異なるのみであり、その他の構成は上記第１実施例と同じとなっている。
【００３６】
第２実施例に示す混合容器１は、混合棒片２５を有しない構成であるため、一対の容器体３０，３０から注出された両内溶物は上記第１実施例に比較して混合されにくくなるが、一つの吐出口９から一緒に吐出されればよく、高い割合で混合する必要のない内容物同士の吐出に適する。
【００３７】
以上、実施例に沿って本発明の構成とその作用効果について説明したが、本発明の実施の形態は上記実施例に限定されるものではない。
例えば、上記実施例では、一対の容器体３０としてブローボトルを用いて説明したが、本発明はブローボトルに限定されるものではなく、その他例えばチューブなどスクイズ変形可能な容器であればどのような容器であってもよい。さらにはエアゾール式容器とすることもできる。
【００３８】
また上記実施例では、キャップ体２の取着部６が注出筒部１３に螺着という手段により取り付けられる構成を示して説明したが、本発明はこれに限定されるものではなく、アンダーカット結合により取り付けられる構成とすることもできる。
【産業上の利用可能性】
【００３９】
本発明の係止機構を備えた混合容器は、使用する直前に２種類の内容物を混合する染毛剤のような分野における用途展開をさらに広い領域で図ることができる。
【符号の説明】
【００４０】
１    ；混合容器
２    ；キャップ体
３    ；頭部
４    ；塗布体
５    ；通路筒部
６    ；取着部
７    ；螺条
８    ；合流通路
９    ；注出口
１０  ；通路ブロック体
１１  ；装着部
１２  ；ヒンジ部
１３  ；注出筒部
１４  ；注出口
１５  ；螺旋条
１６  ；外装部
１７  ；ネジ部
１８  ；注出通路
１８ａ；通路凸部
１８ｂ；通路凹部
１９  ；挿入筒
２０  ；被係止片
２１  ；揺動部
２１ａ；揺動部の一端
２１ｂ；揺動部の他端
２２  ；係止片
２３  ；支点
２４  ；仕切板
２５  ；混合棒片
３０  ；容器体
Ｓ    ；隙間
【図１】
0005688640.tif 000002
【図２】
0005688640.tif 000003
【図３】
0005688640.tif 000004
【図４】
0005688640.tif 000005
【図５】
0005688640.tif 000006
【図６】
0005688640.tif 000007
【図７】
0005688640.tif 000008
【図８】
0005688640.tif 000009
【図９】
0005688640.tif 000010